(57)【要約】【課題】光情報記録再生装置の情報光／参照光の光路が製造時の位置からずれた場合でも、そのズレを検出し、適正に補正することが出来、良好な記録再生特性を有する光情報記録再生装置を提供する。【解決手段】ズレ検出及び調整時には、記録媒体Ｍを記録・再生位置より退避させる。かかる状態で、半導体レーザＬＤを発光させると、情報光が対物レンズＯＢＪを介して集光されるが、記録媒体Ｍを記録・再生位置より退避させているので、遮られることなく検出器ＰＤにスポットが形成され。このスポットの中心を検出器ＰＤの受光面の中心に一致させるべく、第１可動ミラーMM1又は第２可動ミラーMM2のミラーを角度変位させてズレ調整を行う。【選択図】  図３
2010102785.tif 000002
【特許請求の範囲】
【請求項１】
光源と、前記光源からの光束を分岐する分岐手段と、分岐された光束のうちの一方を参照光として記録媒体に導く光学系と、分岐された光束のうちの他方を入射して、情報光を生成する空間光変調素子と、前記情報光を前記記録媒体に集光する対物レンズと、前記記録媒体からの光束を受光する画像受光素子とを備え、前記参照光と前記情報光とを干渉させて前記記録媒体に情報を記録し、前記参照光を前記記録媒体に照射し、該記録媒体から出射する光束を前記画像受光素子に導き情報の再生を行う、２光束干渉方式を用いた光情報記録再生装置において、
前記参照光と前記情報光のうち少なくとも一方のズレを検出する検出器と、前記検出器からの出力に基づいて、前記光のズレを補正する補正機構とを有することを特徴とする光情報記録再生装置。
【請求項２】
前記補正機構は、前記光源と記録媒体との間の光路内に配置された少なくとも２枚のミラーと、前記２枚のミラーの角度を変更する可動機構とを含むことを特徴とする請求項１に記載の光情報記録再生装置。
【請求項３】
前記検出器は、記録・再生位置より記録媒体を退避させた状態で、前記参照光と前記情報光のうち少なくとも一方を受光可能な位置に配置されていることを特徴とする請求項１又は２に記載の光情報記録再生装置。
【請求項４】
前記情報光の光軸上において集光位置を挟んで前記対物レンズと反対側に、凹面ミラーを配置しており、前記検出器は前記画像受光素子であって、前記凹面ミラーから反射された情報光を入射することにより、情報光のズレを検出することを特徴とする請求項３に記載の光情報記録再生装置。
【請求項５】
前記情報光の光軸上において集光位置に平面ミラーを配置可能となっており、前記検出器は前記画像受光素子であって、前記平面ミラーから反射された情報光を入射することにより、情報光のズレを検出することを特徴とする請求項３に記載の光情報記録再生装置。
【請求項６】
前記情報光の光軸上において集光位置を挟んで前記対物レンズと反対側に、前記検出器を配置して情報光を入射することにより、情報光のズレを検出することを特徴とする請求項３に記載の光情報記録再生装置。
【請求項７】
前記補正機構が、前記光源と前記分岐手段との間の光路内に配置されていることを特徴とする請求項１〜６のいずれかに記載の光情報記録再生装置。
【請求項８】
前記補正機構が、前記分岐手段と記録媒体との間の情報光の光路内に配置されていることを特徴とする請求項１〜６のいずれかに記載の光情報記録再生装置。
【発明の詳細な説明】
【技術分野】
【０００１】
本発明は、光情報記録再生装置に関し、特にホログラフィを利用して情報が記録される記録媒体に対して情報を記録し、情報が記録されている記録媒体からの情報の再生を行う光情報記録再生装置に関する。
【背景技術】
【０００２】
近年、高密度の光情報記録再生装置として、特許文献１のようなホログラフィの原理を用いたものが提案されている。このような光情報記録再生装置において、記録時には、一つの光源から発生した光を、空間光変調器(SLM:Spatial Light Modulator)により変調された情報を持つ情報光と、参照光とに分岐し、分岐された2つの光を異なる方向から記録媒体に照射し、干渉縞として情報を記録することができる。一方、再生時には、情報を記録した記録媒体に、記録時と同じ参照光を照射して干渉縞を読み取り、それにより記録した情報を再生することができる。
【特許文献１】特開２００８−１２３６２７号公報
【発明の開示】
【発明が解決しようとする課題】
【０００３】
上述のようにホログラフィの原理を用いた光情報記録再生装置は、情報光と参照光とで作る干渉縞を記録しているために、記録再生時における情報光と参照光の関係が非常に重要となる。より具体的には、例えば情報を再生する際に、情報を記録したときに使用した参照光と状態の異なる参照光を照射した場合、情報が正しく再生されない恐れがある。ここで参照光の「異なる状態」とは、例えば、光源の波長の相違、記録媒体への照射角度の相違、参照光の振幅/位相分布の相違などが考えられる。
【０００４】
ところで、光源の波長や、参照光の振幅／位相分布などは、半導体レーザ個々の特性により定まり、ある程度安定しているといえる。これに対し、記録媒体への照射角度は、例えば光情報記録再生装置の搬送時、使用時などにおける振動や環境の温度変化などの影響、経時変化等により、初期設定値から比較的変動し易い傾向がある。一方、半導体レーザの出力強度を可能な限り情報光の強度に利用するために、情報光の光束径をSLMの大きさと略同じとするか、若しくは余裕を持たせるにしても僅かに大きくする程度に留めることもあるが、かかる場合、何らかの理由により情報光の光路の光軸が、製造時の位置に対してその余裕分以上、平行移動してしまうと、情報光がSLMによりケラレてしまい有効に使用できないという問題もある。
【０００５】
本発明は、上述の問題を考慮してなされたものであり、光情報記録再生装置の情報光／参照光の光路が製造時の位置からずれた場合でも、そのズレを検出し、適正に補正することが出来、良好な記録再生特性を有する光情報記録再生装置を提供することを目的とする。
【課題を解決するための手段】
【０００６】
上記課題を解決する為、請求項１に記載の光情報記録再生装置は、光源と、前記光源からの光束を分岐する分岐手段と、分岐された光束のうちの一方を参照光として記録媒体に導く光学系と、分岐された光束のうちの他方を入射して、情報光を生成する空間光変調素子と、前記情報光を前記記録媒体に集光する対物レンズと、前記記録媒体からの光束を受光する画像受光素子とを備え、前記参照光と前記情報光とを干渉させて前記記録媒体に情報を記録し、前記参照光を前記記録媒体に照射し、該記録媒体から出射する光束を前記画像受光素子に導き情報の再生を行う、２光束干渉方式を用いた光情報記録再生装置において、
前記参照光と前記情報光のうち少なくとも一方のズレを検出する検出器と、前記検出器からの出力に基づいて、前記光のズレを補正する補正機構とを有することを特徴とする。
【０００７】
本発明によれば、例えば光情報記録再生装置の搬送時、使用時などにおける振動や環境の温度変化などの影響、経時変化等により、初期設定に対して記録媒体に入射する情報光及び／又は参照光にズレが生じた場合でも、かかるズレを前記検出器で検出し、更に前記検出器が検出したズレに基づいて、記録媒体に入射する情報光及び／又は参照光の入射位置を所定位置とするように前記補正機構により適正に補正を行うことができ、それにより良好な記録再生特性を有する光情報記録再生装置を提供することが出来る。ここで、「補正」とは、記録媒体への入射光の入射位置及び入射角度の一方又は双方を、作業者の手により又は自動的に所定の状態に調整することをいうものとする。
【０００８】
請求項２に記載の光情報記録再生装置は、請求項１に記載の発明において、前記補正機構は、前記光源と記録媒体との間の光路内に配置された少なくとも２枚のミラーと、前記２枚のミラーの角度を変更する可動機構とを含むことを特徴とする。
【０００９】
本発明によれば、簡素な構成で、記録媒体に入射する情報光及び／又は参照光の位置を調整することができる。
【００１０】
請求項３に記載の光情報記録再生装置は、請求項１又は２に記載の発明において、前記検出器は、記録・再生位置より記録媒体を退避させた状態で、前記参照光と前記情報光のうち少なくとも一方を受光可能な位置に配置されていることを特徴とする。
【００１１】
本発明によれば、記録・再生位置より記録媒体を退避させることにより、簡素な構成で、記録媒体に入射する情報光及び／又は参照光のズレを検出することができる。尚、「記録・再生位置」とは、記録媒体の記録層に参照光と情報光とが照射される位置をいう。
【００１２】
請求項４に記載の光情報記録再生装置は、請求項３に記載の発明において、前記情報光の光軸上において集光位置を挟んで前記対物レンズと反対側に、凹面ミラーを配置しており、前記検出器は前記画像受光素子であって、前記凹面ミラーから反射された情報光を入射することにより、情報光のズレを検出することを特徴とする。
【００１３】
前記情報光の光軸上において集光位置を挟んで前記対物レンズと反対側に、凹面ミラーを設ければ、前記凹面ミラーの球心位置を前記対物レンズの焦点位置に一致させることで、記録媒体を退避させた状態で、前記対物レンズにより集光された情報光が、前記凹面ミラーにより反射されて逆方向に戻り、同じ対物レンズを通って、前記空間光変調素子へ向かう光路をたどることとなる。このとき、前記対物レンズと前記空間光変調素子との間に設けた分岐素子により、前記凹面ミラーからの反射光を分岐させて前記検出器として兼用する前記画像受光素子（２次元センサが好ましい）に入射させることにより、前記情報光のズレを検出することができ、それにより別個に検出器を用いる必要がなく光情報記録再生装置のコストやスペースを節約できる。尚、かかる場合、前記対物レンズと前記分岐手段との間にピンホール等のような空間フィルターを設ければ、前記画像受光素子で情報光の強度分布を検出することにより、より精度良く光軸が正しい位置にあるか否かをモニタすることが出来る。
【００１４】
請求項５に記載の光情報記録再生装置は、請求項３に記載の発明において、前記情報光の光軸上において集光位置に平面ミラーを配置可能となっており、前記検出器は前記画像受光素子であって、前記平面ミラーから反射された情報光を入射することにより、情報光のズレを検出することを特徴とする。
【００１５】
前記情報光の光軸上において前記対物レンズにより情報光が集光される焦点位置に、記録媒体の代わりに平面ミラーを配置することで、前記対物レンズにより集光された情報光が、前記平面ミラーにより反射されて逆方向に戻り、同じ対物レンズを通って、前記空間光変調素子へ向かう光路をたどることとなる。このとき、前記対物レンズと前記空間光変調素子との間に設けた分岐素子により、前記凹面ミラーからの反射光を分岐させて前記検出器として兼用する前記画像受光素子（２次元センサが好ましい）に入射させることにより、前記情報光のズレを検出することができ、それにより別個に検出器を用いる必要がなく光情報記録再生装置のコストやスペースを節約できる。尚、かかる場合、前記対物レンズと前記分岐手段との間にピンホール等のような空間フィルターを設ければ、前記画像受光素子で情報光の強度分布を検出することにより、より精度良く光軸が正しい位置にあるか否かをモニタすることが出来る。
【００１６】
請求項６に記載の光情報記録再生装置は、請求項３に記載の発明において、前記情報光の光軸上において集光位置を挟んで前記対物レンズと反対側に、前記検出器を配置して情報光を入射することにより、情報光のズレを検出することを特徴とする。
【００１７】
例えば空間フィルターとしてのピンホールを、前記光源から前記検出器の間に少なくとも２つ配置すれば、前記情報光の光軸上において集光位置を挟んで前記対物レンズと反対側に前記検出器を配置することで、情報光強度分布を検出することができ、より精度良く光軸が正しい位置にあるか否かをモニタすることが出来る。
【００１８】
請求項７に記載の光情報記録再生装置は、請求項１〜６のいずれかに記載の発明において、前記補正機構が、前記光源と前記分岐手段との間の光路内に配置されていることを特徴とする。
【００１９】
前記補正機構を、前記光源から出射した光を情報光と参照光に分岐する分岐する分岐手段より前記光源側に配置することで、前記補正機構による調整を、前記情報光と前記参照光の両方に対して行うことが可能となる。
【００２０】
請求項８に記載の光情報記録再生装置は、請求項１〜６のいずれかに記載の発明において、前記補正機構が、前記分岐手段と記録媒体との間の情報光の光路内に配置されていることを特徴とする。
【００２１】
前記補正機構を、前記光源から出射した光を情報光と参照光に分岐する分岐する分岐手段より記録媒体側に配置することで、前記調整機構による調整を、前記情報光のみに対して行うことが出来、従って前記参照光に影響を及ぼすことがないため、前記参照光に対して前記情報光を迅速に位置決めできる。
【発明の効果】
【００２２】
本発明によれば、光情報記録再生装置の情報光／参照光の光路が製造時の位置からずれた場合でも、そのズレを検出し、適正に補正することが出来、良好な記録再生特性を有する光情報記録再生装置を提供することができる。
【発明を実施するための最良の形態】
【００２３】
以下、本発明の実施の形態を、図面を参照して説明する。まず、比較例として補正機構等を搭載していない光情報記録再生装置の構成と記録・再生動作について説明し、それに補正機構等を追加した光情報記録再生装置を説明する。図１、２は、比較例として示す２光束干渉方式の光情報記録再生装置のブロック図であり、図１は記録時を示し、図２は再生時を示しており、太い実線はデバイス間の配線を示し、細い実線は出射光束の光路を示し、点線は光束が遮断されていることを示す。
【００２４】
図１、２に示す光情報記録再生装置は、光源としての半導体レーザＬＤと、この半導体レーザＬＤからの光束を透過および反射して２つの光束に分岐させる分岐手段としての第１偏光ビームスプリッタＰＢＳ１とを有する。半導体レーザＬＤと第１偏光ビームスプリッタＰＢＳ１との間の共通光路内には、半導体レーザＬＤからの光束は透過するが逆方向の光束の通過は阻止する光アイソレータＯＩと、第１レンズＬ１と、波面を整える空間フィルターとして機能する第１ピンホールＰ１と、第２レンズＬ２と、アクティブ１／２波長板ＡＨＷＰとが配置されている。半導体レーザＬＤとアクティブ１／２波長板ＡＨＷＰとは、オプトコントローラーＯＣＴにより駆動制御される。アクティブ１／２波長板ＡＨＷＰは、例えばオプトコントローラーＯＣＴの制御により回転可能となっていて、記録時と再生時とで、第１偏光ビームスプリッタＰＢＳ１に入射する光束の偏光方向を変えて、記録時には第１偏光ビームスプリッタＰＢＳ１を通過する光束と反射する光束とを発生させ、再生時には第１偏光ビームスプリッタＰＢＳ１を通過する光束のみ発生させ、反射する光束を発生させないように機能する。
【００２５】
第１偏光ビームスプリッタＰＢＳ１と、ホログラム用の記録媒体Ｍとの間における情報光の専用光路内には、第３レンズＬ３と、第４レンズＬ４と、第２偏光ビームスプリッタＰＢＳ２と、第５レンズＬ５と、波面を整える空間フィルターとして機能する第３ピンホールＰ３と、第６レンズＬ６と、対物レンズＯＢＪとが配置されている。一方、第１偏光ビームスプリッタＰＢＳ１と、ホログラム用の記録媒体Ｍとの間における参照光の専用光路内には、第１ミラーＭ１と、第２ミラーＭ２と、波面を整える空間フィルターとして機能する第２ピンホールＰ２と、第１ガルバノミラーＧＭ１と、第７レンズＬ７と、第８レンズＬ８とが配置されており、これらが参照光を導く光学系を構成する。又、参照光の専用光路の延長線上において、記録媒体Ｍを挟んで第８レンズＬ８と反対側には、第２ガルバノミラーＧＭ２が配置されている。第１ガルバノミラーＧＭ１と第２ガルバノミラーＧＭ２とは、ガルバノミラーコントローラーＧＣＴにより駆動制御される。情報光と参照光とは記録媒体Ｍ上で交差するように入射する。記録媒体Ｍは、メディアコントローラーMCＴの制御下でメディア駆動機構ＭＤにより回転駆動される。
【００２６】
ＣＰＵは、オプトコントローラーＯＣＴ、ガルバノミラーコントローラーＧＣＴ、メディアコントローラーMCＴを制御する。又、ＣＰＵは、記録時には、インターフェースＩＦを介してデータバッファＤＢのデータをエンコーダＥＮＣより変換し、第２偏光ビームスプリッタＰＢＳ２の一面に隣接する空間光変調素子としての空間光変調器ＳＬＭに入力し、再生時には、第２偏光ビームスプリッタＰＢＳ２の別面に隣接する画像受光素子としての２次元画像センサＣＣＤ（Charge Coupled DevicesやComplementary Metal-Oxide Semiconductorを用いることができる)を介して入力されたデータをデコーダＤＥＣにより変換し、データバッファＤＢに入力した後読み出して、外部のメモリーＭＲＹに記憶するようになっている。
【００２７】
次に、図１を参照して、記録時における光情報記録再生装置の動作について説明する。半導体レーザＬＤから出射された光束は、光アイソレータＯＩを通過し、第１レンズＬ１により集光されて、第１ピンホールＰ１を通過し、第２レンズＬ２を通過して平行光束となり、アクティブ１／２波長板ＡＨＷＰに入射する。アクティブ１／２波長板ＡＨＷＰは、記録位置に回転させられているため、これを通過して所定の偏光状態にある光束は、分岐手段である第１偏光ビームスプリッタＰＢＳ１に入射した後、通過する光束（参照光）と反射する光束（情報光）とに分岐させられることとなる。
【００２８】
第１偏光ビームスプリッタＰＢＳ１で反射した光束は、第３レンズＬ３、第４レンズＬ４を通過し、第２偏光ビームスプリッタＰＢＳ２で反射して、空間光変調器ＳＬＭに入射する。入射した光束は、空間光変調器ＳＬＭの機能により所定の情報に対応した２次元変調を施されて反射し、偏光方向を変えるため、第２偏光ビームスプリッタＰＢＳ２を通過して、第５レンズＬ５、第３ピンホールＰ３，第６レンズＬ６を通過し、対物レンズＯＢＪを介して、記録媒体Ｍの記録層に集光されることとなる。
【００２９】
一方、第１偏光ビームスプリッタＰＢＳ１を通過した光束は、第１ミラーＭ１、第２ミラーＭ２でそれぞれ反射され、第２ピンホールＰ２を通過した後、第１ガルバノミラーＧＭ１で反射されて、第７レンズＬ７、第８レンズＬ８を通過し、記録媒体Ｍの記録層に照射されることとなる。このとき情報光と参照光とが、同じ位置に照射されることで干渉縞が生じ、情報の記録をおこなうことができる。ガルバノミラーコントローラーＧＣＴにより第１ガルバノミラーＧＭ１の角度を調整することで、情報光と参照光との相対角度が変化するので、それにより多重に情報を記録することができる。
【００３０】
次に、図２を参照して、再生時における光情報記録再生装置の動作について説明する。半導体レーザＬＤから出射された光束は、光アイソレータＯＩを通過し、第１レンズＬ１により集光されて、第１ピンホールＰ１を通過し、第２レンズＬ２を通過して平行光束となり、アクティブ１／２波長板ＡＨＷＰに入射する。アクティブ１／２波長板ＡＨＷＰは、再生位置に回転させられているため、これを通過して所定の偏光状態にある光束は、分岐手段である第１偏光ビームスプリッタＰＢＳ１に入射した後、通過する光束（参照光）のみとなる。
【００３１】
第１偏光ビームスプリッタＰＢＳ１を通過した光束は、第１ミラーＭ１、第２ミラーＭ２でそれぞれ反射され、第２ピンホールＰ２を通過した後、第１ガルバノミラーＧＭ１で反射されて、第７レンズＬ７、第８レンズＬ８を通過し、記録媒体Ｍの記録層に照射され、情報の記録された位置を通過することとなる。
【００３２】
記録媒体Ｍを透過した光束は、第２ガルバノミラーＧＭ２で反射され、記録媒体Ｍに再入射する。この反射光の記録媒体Ｍへの再入射角は、第１ガルバノミラーＧＭ１、第２ガルバノミラーＧＭ２で制御されている。
【００３３】
記録媒体Ｍへ再入射した光束は、記録媒体Ｍの記録層に記録されている干渉縞により応じたパターンの光束となり、このパターン光は、更に対物レンズＯＢＪ、第６レンズＬ６，第３ピンホールＰ３，第５レンズＬ５を通過し、偏光ビームスプリッタＰＢＳ２で反射されて、２次元画像センサＣＣＤの受光面に入射する。
【００３４】
こうして、２次元画像センサＣＣＤの受光面に入射したパターン光は、その画像−信号変換機能により電気信号に変換され、それにより記録媒体Ｍに記録されている情報に対応した２次元パターン情報が再生されることとなる。
【００３５】
図３は、補正機構等を設けた第１の実施の形態にかかる光情報記録再生装置のブロック図であるが、図１，２と異なり制御デバイスは省略して示している。図４は、検出器ＰＤの受光面を概略的に示す図である。図３において、記録媒体Ｍは、不図示のリニアガイドに沿って、メディア駆動機構ＭＤと一体で、図１，２に示す記録・再生位置より、図３に示す退避位置へと退避可能となっている。記録媒体Ｍを退避させた状態で、情報光の光路の延長上（記録再生時における記録媒体Ｍの背面側）には、４分割受光素子などの検出器ＰＤが配置されている。記録媒体Ｍの背面側は、光情報記録再生装置においてはデッドスペースとなっていることが多いので、検出器ＰＤを搭載することが特に問題になる恐れは低いが、検出器ＰＤを取り外し可能として、調整時だけ取り付けるようにしても良い。尚、第３レンズＬ３と第４レンズＬ４との間に、第１ピンホールＰ１を設けている。
【００３６】
更に、図１、２の構成に対して、第１偏光ビームスプリッタＰＢＳ１と第３レンズＬ３との間（情報光の光路内）に、第１固定ミラーＦＭ１，第１可動ミラーMM1、第２可動ミラーMM2、第２固定ミラーＦＭ２を、この順序で配置してなる補正機構を有している。第１固定ミラーＦＭ１，第２固定ミラーＦＭ２は、他の固定された光学素子と同様に、不図示のフレームに固定されている。一方、第１可動ミラーMM1、第２可動ミラーMMは、不図示のフレームに対して、図９に示す可動機構を介して、図３で紙面垂直方向の軸回り（より好ましくは、それに加えて紙面垂直方向に直交する方向の軸回り）に回転可能となっている。記録時において、第１偏光ビームスプリッタＰＢＳ１から第３レンズＬ３に向かう光束は、第１固定ミラーＦＭ１，第１可動ミラーMM1、第２可動ミラーMM2、第２固定ミラーＦＭ２にて、それぞれ反射されて元の光路に戻るので、補正機構を光路内に挿入したことで情報の記録やズレ測定を妨げることはない。
【００３７】
図９は、第１可動ミラーMM1の斜視図である。尚、第２可動ミラーMM2も同様な構成を有する。図９において、第１可動ミラーMM1は、フレーム（不図示）に固定された板状のベースＢＳと、ベースＢＳに対して離間した状態で並行して配置された板状のステージＳＴと、ステージＳＴ上に載置されたプリズムミラーＰＭと、ベースＢＳとステージＳＴとを連結する３つの圧電素子ＰＺとを有する。プリズムミラーＰＭの斜面が光を反射するミラー面（ミラー）となっている。３つの圧電素子ＰＺは、ベースＢＳ及びステージＳＴに対して仮想的な三角形の頂点に位置するように配置され、不図示の駆動装置から電力を供給されることにより個々に伸縮自在となっている。ここで、３つの圧電素子ＰＺの伸び量又は縮み量を所与の値に設定することで、図９でＸＹ平面に沿ったベースＢＳに対して、ステージＳＴをＸ方向とＹ方向とに任意に傾けて角度付けすることができ、これによりプリズムミラーＰＭのミラー面の傾きを３次元的に調整できる。従って、ミラー面に入射する入射光の角度に対して、出射光の角度を任意に変更することができる。圧電素子ＰＺの代わりに、ボイスコイルモータやＳＩＤＭを用いても良い。ベースＢＳ、ステージＳＴ、圧電素子ＰＺにより可動機構を構成する。
【００３８】
第１の実施の形態にかかる光情報記録再生装置における、光束のズレ検出及び調整について説明する。ズレ検出及び調整時には、記録媒体Ｍを記録・再生位置より退避させる。かかる状態で、半導体レーザＬＤを発光させると、図１を参照して説明した光路を辿り、情報光が対物レンズＯＢＪを介して集光されるが、記録媒体Ｍを記録・再生位置より退避させているので、これに遮られることなく検出器ＰＤに到達する。このとき、情報光の光路内には、２つのピンホールＰ１，Ｐ３が配置されているので、オートコリメータの原理により、対物レンズＯＢＪの集光スポットＳＰが検出器ＰＤの受光面上で明確に位置ズレするので、高精度な検出を行うことが可能となる。
【００３９】
検出器ＰＤは、その受光面が図４に示すように、例えば田の字状に４分割されている。ここで、対物レンズＯＢＪにより集光されたスポットＳＰが、受光面の中心に形成された際に、４分割された各領域の受光量をＡ〜Ｄとしたときに、
Ｘ＝（Ａ＋Ｃ）−（Ｂ＋Ｄ）
Ｙ＝（Ａ＋Ｂ）−（Ｃ＋Ｄ）
を求めると、Ｘ、Ｙの絶対値が大きくなるほど、集光スポットＳＰの位置ズレが生じていることがわかる、そこで、スポットＳＰの中心を受光面の中心に一致させるべく、Ｘ＝０，Ｙ＝０に近づくように、作業者の手で或いは自動的に第１可動ミラーMM1又は第２可動ミラーMM2のミラーを角度変位させてズレ調整を行う。これにより、情報光は記録媒体Ｍの所定位置に集光することとなるので、例えば光情報記録再生装置の工場出荷時に調整を行い、その後、光情報記録再生装置の搬送時、使用時などにおける振動や環境の温度変化などの影響、経時変化等により、初期設定値から情報光がずれてしまったような場合には、再度調整を行うことで、長期間安定して適切な情報の記録及び／又は再生を行うことが可能となる。尚、本実施の形態では、ズレ検出の間、参照光も照射されているが、ズレ検出用の情報光とは光路が異なるため混在することがないので、特に問題は生じない。但し、無用な迷光を生じさせないように、分岐手段後にシャッタ等を設けて、それによりズレ検出の間のみ、参照光を遮るようにしても良い。又、同様な構成を設けて、参照光のズレを検出して補正することもできる。
【００４０】
図５は、補正機構等を設けた第２の実施の形態にかかる光情報記録再生装置のブロック図であるが、図１，２と異なり制御デバイスは省略して示している。図５において、記録媒体Ｍは、不図示のリニアガイドに沿って、メディア駆動機構ＭＤと一体で、図１，２に示す記録・再生位置より、図５に示す退避位置へと退避可能となっている。メディア駆動機構ＭＤの近傍には、不図示のガイドレールに沿って或いは不図示のリンク機構により、待機位置と測定位置との間で移動可能に配置された可動平面ミラーＭＶＭが配置されている。可動平面ミラーＭＶＭは、記録媒体Ｍが記録・再生位置にあるときは、記録媒体を挟んで対物レンズＯＢＪと反対側（記録媒体Ｍの背面側）の待機位置（図５に点線で図示）で待機しており、記録媒体Ｍが退避位置へと移動したときに、対物レンズＯＢＪの集光位置が反射面上に位置する測定位置（図５に実線で図示）まで変位することができるようになっている。
【００４１】
第２の実施の形態においても、図３に示す実施の形態と同様に、第３レンズＬ３と第４レンズＬ４との間に、第１ピンホールＰ１を設けており、また第１偏光ビームスプリッタＰＢＳ１と第３レンズＬ３との間（情報光の光路内）に、第１固定ミラーＦＭ１，第１可動ミラーMM1、第２可動ミラーMM2、第２固定ミラーＦＭ２を、この順序で配置してなる補正機構を有している。
【００４２】
第２の実施の形態にかかる光情報記録再生装置における、光束のズレ検出・調整について説明する。ズレ検出・調整時には、記録媒体Ｍを記録・再生位置より退避させ、可動平面ミラーＭＶＭを測定位置へと移動させる。かかる状態で、半導体レーザＬＤを発光させると、図１を参照して説明したように、情報光が対物レンズＯＢＪを介して集光されるが、記録媒体Ｍの代わりに可動平面ミラーＭＶＭの反射面を集光位置に配置しているので、可動平面ミラーＭＶＭからの反射光は、再び情報光の光路に沿って戻り、対物レンズＯＢＪ、第６レンズＬ６，ピンホールＰ３，第５レンズＬ５を通過し、第２偏光ビームスプリッタＰＢＳ２で反射されて検出器を兼ねる２次元画像センサＣＣＤの受光面に入射され、２次元方向の情報光のズレを検出される。更に、このズレを解消するように、第１可動ミラーMM1又は第２可動ミラーMM2のミラーを角度変位させてズレ調整を行う。本実施の形態によれば、ズレ検出用の検出器と、情報読み取り用の２次元画像センサＣＣＤとを兼用としているので、部品点数の削減やコスト低減を図れる。
【００４３】
図６は、補正機構等を設けた第３の実施の形態にかかる光情報記録再生装置のブロック図であるが、図１，２と異なり制御デバイスは省略して示している。図６において、記録媒体Ｍは、不図示のリニアガイドに沿って、メディア駆動機構ＭＤと一体で、図１，２に示す記録・再生位置より、図６に示す退避位置へと退避可能となっている。記録媒体Ｍを退避させた状態で、情報光の光路の延長上（記録再生時における記録媒体Ｍの背面側）には、凹面ミラーＣＮＭが不図示のフレームに固定配置されている。ここで、凹面ミラーＣＮＭの焦点位置を対物レンズＯＢＪの焦点位置ＦＰに一致させている。更に、メディア駆動機構ＭＤの近傍には、不図示のガイドレールに沿って或いは不図示のリンク機構により、待機位置と遮蔽位置との間で移動可能に配置されたシャッタＳＨが配置されている。シャッタＳＨは、記録媒体Ｍが記録・再生位置にあるときは、対物レンズＯＢＪの焦点位置ＦＰと凹面ミラーＣＮＭとの間の遮蔽位置（図５に点線で図示）へと移動することにより、記録再生時に記録媒体Ｍを通過し凹面ミラーＣＮＭで反射された参照光が迷光とならないようにしている。一方、記録媒体Ｍが退避位置へと移動したときには、シャッタＳＨは、対物レンズＯＢＪにより集光された光が凹面ミラーＣＮＭに到達することを妨げないように、側方の待機位置（図５に実線で図示）まで変位することができるようになっている。
【００４４】
第３の実施の形態においても、図３に示す実施の形態と同様に、第３レンズＬ３と第４レンズＬ４との間に、第１ピンホールＰ１を設けており、また第１偏光ビームスプリッタＰＢＳ１と第３レンズＬ３との間（情報光の光路内）に、第１固定ミラーＦＭ１，第１可動ミラーMM1、第２可動ミラーMM2、第２固定ミラーＦＭ２を、この順序で配置してなる補正機構を有している。
【００４５】
第３の実施の形態にかかる光情報記録再生装置における、光束のズレ検出・調整について説明する。ズレ検出・調整時には、記録媒体Ｍを記録・再生位置より退避させ、またシャッタＳＨを遮蔽位置より退避させる。かかる状態で、半導体レーザＬＤを発光させると、図１を参照して説明したように、情報光が対物レンズＯＢＪを介して焦点位置ＦＰに向かって集光され、それを通過後に広がってゆくが、これを凹面ミラーＣＮＭで反射すると、再度焦点位置ＦＰを通過して対物レンズＯＢＪにより平行光に変換され、再び情報光の光路に沿って戻り、対物レンズＯＢＪ、第６レンズＬ６，ピンホールＰ３，第５レンズＬ５を通過し、第２偏光ビームスプリッタＰＢＳ２で反射されて検出器を兼ねる２次元画像センサＣＣＤの受光面に入射され、２次元方向の情報光のズレを検出される。更に、このズレを解消するように、第１可動ミラーMM1又は第２可動ミラーMM2のミラーを角度変位させてズレ調整を行う。本実施の形態によれば、第２偏光ビームスプリッタＰＢＳ２と対物レンズＯＢＪとの間に第３ピンホールＰ３等のような空間フィルターを設けることにより、２次元画像センサＣＣＤの受光面で情報光の強度分布を検出することで、光軸が正しい位置にあるかを適切に検出することが出来る。
【００４６】
図７は、補正機構等を設けた第４の実施の形態にかかる光情報記録再生装置のブロック図であるが、図１，２と異なり制御デバイスは省略して示している。本実施の形態においては、図６に示す実施の形態に対して、第１固定ミラーＦＭ１，第１可動ミラーMM1、第２可動ミラーMM2、第２固定ミラーＦＭ２を、この順序で配置してなる補正機構を、第１偏光ビームスプリッタＰＢＳ１と第３レンズＬ３との間（情報光の光路内）ではなく、共通光路である第２レンズＬ２と第１偏光ビームスプリッタＰＢＳ１との間（分岐手段より光源側であれば、この位置に限られない）に配置している。それ以外の点は、図６の構成と同様であるため説明を省略する（図７でシャッタＳＨは省略している）。
【００４７】
本実施の形態によれば、２次元画像センサＣＣＤで検出されたズレに基づいて、第１可動ミラーMM1又は第２可動ミラーMM2のミラーを角度変位させると、情報光のみならず参照光も変位することとなり、即ち一度の調整で、参照光と情報光の調整を行うことができる。
【００４８】
図８は、補正機構等を設けた第５の実施の形態にかかる光情報記録再生装置のブロック図であるが、図１，２と異なり制御デバイスは省略して示している。本実施の形態においては、図６に示す実施の形態に対して、凹面ミラーＣＮＭを傾斜させており、またシャッタは設けていない。それ以外の点は、図６の構成と同様であるため説明を省略する（図８で記録媒体Ｍは省略している）。
【００４９】
本実施の形態におけるズレ検出・調整時には、第２ガルバノミラーＧＭを、記録媒体Ｍに対向する位置から凹面ミラーＣＮＭに対向する位置へと回転させる。かかる状態で、半導体レーザＬＤを発光させると、図１を参照して説明したように、情報光が対物レンズＯＢＪを介して焦点位置ＦＰに向かって集光され、それを通過後に広がってゆくが、これを凹面ミラーＣＮＭで反射すると、平行光が第２ガルバノミラーＧＭに向かい、ここで反射した後に再度凹面ミラーＣＮＭで反射した収束光は、再度焦点位置ＦＰを通過した後に対物レンズＯＢＪにより平行光に変換され、再び情報光の光路に沿って戻り、対物レンズＯＢＪ、第６レンズＬ６，ピンホールＰ３，第５レンズＬ５を通過し、第２偏光ビームスプリッタＰＢＳ２で反射されて検出器を兼ねる２次元画像センサＣＣＤの受光面に入射され、２次元方向の情報光のズレを検出される。更に、このズレを解消するように、第１可動ミラーMM1又は第２可動ミラーMM2のミラーを角度変位させてズレ調整を行う。
【００５０】
ここで、情報の記録再生時に記録媒体Ｍを通過した光が、凹面ミラーＣＮＭに到達して第２ガルバノミラーＧＭ２側に反射された後に迷光となる恐れもあるが、本実施の形態によれば、第２ガルバノミラーＧＭ２を記録再生時には記録媒体Ｍに対向させるように位置させておくので、例え凹面ミラーＣＮＭからの無用な反射光が第２ガルバノミラーＧＭ２に向かったとしても、ここで遮断されるので、迷光が発生して２次元画像センサＣＣＤで誤検出されることなどが有効に回避される。それ故、第２ガルバノミラーＧＭ２は、反射面を除き黒色塗料などの遮光処理を外面に施すことが望ましい。
【図面の簡単な説明】
【００５１】
【図１】比較例として示す２光束干渉方式の光情報記録再生装置のブロック図である。
【図２】比較例として示す２光束干渉方式の光情報記録再生装置のブロック図である。
【図３】補正機構等を設けた第１の実施の形態にかかる光情報記録再生装置のブロック図である。
【図４】検出器ＰＤの受光面を概略的に示す図である。
【図５】補正機構等を設けた第２の実施の形態にかかる光情報記録再生装置のブロック図である。
【図６】補正機構等を設けた第３の実施の形態にかかる光情報記録再生装置のブロック図である。
【図７】補正機構等を設けた第４の実施の形態にかかる光情報記録再生装置のブロック図である。
【図８】補正機構等を設けた第５の実施の形態にかかる光情報記録再生装置のブロック図である。
【図９】第１可動ミラーMM1の斜視図である。
【符号の説明】
【００５２】
MCＴ メディアコントローラー
MM 可動ミラー
MM1 第１可動ミラー
MM2 第２可動ミラー
ＡＨＷＰ アクティブ１／２波長板
ＣＣＤ ２次元画像センサ
ＣＮＭ 凹面ミラー
ＤＢ データバッファ
ＤＥＣ デコーダ
ＥＮＣ エンコーダ
ＦＭ１ 第１固定ミラー
ＦＭ２ 第２固定ミラー
ＦＰ 焦点位置
ＧＣＴ ガルバノミラーコントローラー
ＧＭ ガルバノミラー
ＧＭ１ 第１ガルバノミラー
ＧＭ２ 第２ガルバノミラー
ＩＦ インターフェース
Ｌ１ 第１レンズ
Ｌ２ 第２レンズ
Ｌ３ 第３レンズ
Ｌ４ 第４レンズ
Ｌ５ 第５レンズ
Ｌ６ 第６レンズ
Ｌ７ 第７レンズ
Ｌ８ 第８レンズ
ＬＤ 半導体レーザ
ＭＲＹ メモリー
Ｍ 記録媒体
Ｍ１ 第１ミラー
Ｍ２ 第２ミラー
ＭＤ メディア駆動機構
ＭＶＭ 可動平面ミラー
ＯＢＪ 対物レンズ
ＯＣＴ オプトコントローラー
ＯＩ 光アイソレータ
Ｐ１ 第１ピンホール
Ｐ２ 第２ピンホール
Ｐ３ 第３ピンホール
ＰＢＳ１ 第１偏光ビームスプリッタ
ＰＢＳ２ 第２偏光ビームスプリッタ
ＰＤ 検出器
ＳＨ シャッタ
ＳＬＭ 空間光変調器
ＳＰ 集光スポット
【図１】
2010102785.tif 000003
【図２】
2010102785.tif 000004
【図３】
2010102785.tif 000005
【図４】
2010102785.tif 000006
【図５】
2010102785.tif 000007
【図６】
2010102785.tif 000008
【図７】
2010102785.tif 000009
【図８】
2010102785.tif 000010
【図９】
2010102785.tif 000011